(57)【要約】【課題】集塵袋を容易に取り出すことのできる、使用性の高い電気掃除機を提供することを目的とする。【解決手段】吸気口３を有する集塵室２、集塵口６を有する袋口体５と前記袋口体５に設けられた袋部４ａとからなる集塵袋４、前記集塵口６の外周に接触する接触部７を有するとともに、前記吸気口３に前記接触部７が前記集塵室２の内方へ突出するよう設けられたシール部８、前記袋口体５を前記接触部７方向へ保持する袋口体押さえ１１を備え、前記袋口体５を前記集塵室２内にて前記袋口体押さえ１１により保持したとき、前記袋口体５が略接触する袋口体接触部１２を、前記袋口体３の前方に形成したもので、集塵袋４を取り出す際に引っ掛かることもなく容易に取り出すことができる。【選択図】図２
2005204691.tif 000002
【特許請求の範囲】
【請求項１】
吸気口を有する集塵室、集塵口を有する袋口体と前記袋口体に設けられた袋部とからなる集塵袋、前記集塵口の外周に接触する接触部を有するとともに、前記吸気口に前記接触部が前記集塵室の内方へ突出するよう設けられたシール部、前記袋口体を前記接触部方向へ保持する袋口体押さえを備え、前記袋口体を前記集塵室内にて前記袋口体押さえにより保持したとき、前記袋口体が略接触する袋口体接触部を、前記袋口体の前方に形成した電気掃除機。
【請求項２】
集塵室の内底面に設けた下部係止突起と、吸気口の両側に位置して形成した一対の案内部と、前記集塵室の上方に設けられ、袋口体の上部を保持する袋口体押さえとにより、袋口体を接触部に接触するように固定するとともに、前記接触部の下方に袋口体接触部を形成した請求項１記載の電気掃除機。
【請求項３】
袋口体接触部を、集塵室を形成する壁面と一体的に形成した請求項１または２記載の電気掃除機。
【請求項４】
袋口体接触部を、集塵室の略中央部に形成した請求項１〜３のいずれか１項に記載の電気掃除機。
【請求項５】
袋口体接触部を、複数のリブで形成した請求項１〜４のいずれか１項に記載の電気掃除機。
【発明の詳細な説明】
【技術分野】
【０００１】
本発明は集塵袋を有する電気掃除機に関するものである。
【背景技術】
【０００２】
従来のこの種の電気掃除機は、図５のように、集塵袋の袋口体（図示せず）を集塵袋固定部の内底面に設けた下部係止突起２１と、吸気口２２の両側に位置して形成した一対の案内部２３と、この案内部２３の上部に枢支した上部袋口体押さえ２４により吸気口２２に設けたシール部２５に接触するように保持している（例えば、特許文献１参照）。
【特許文献１】実開昭６１−７５７１２号公報
【発明の開示】
【発明が解決しようとする課題】
【０００３】
しかしながら、上記従来の構成では、集塵袋の袋口体の集塵口が下方にずれて設けられていた場合、集塵袋取り出しの際、このずれた集塵口がシール部２５に引っ掛かって取り出し難いことがあった。また、集塵袋の袋口体の前方に遮蔽板を設けた集塵袋では、遮蔽板が袋口体より前方に広がり、集塵袋取り出しの際、この遮蔽板がシール部２５に引っ掛かって取り出し難いことがあった。
【０００４】
本発明は上記課題を解決するもので、集塵袋を容易に取り出すことのできる、使用性の高い電気掃除機を提供することを目的とするものである。
【課題を解決するための手段】
【０００５】
上記従来の課題を解決するために本発明の電気掃除機は、吸気口を有する集塵室、集塵口を有する袋口体と前記袋口体に設けられた袋部とからなる集塵袋、前記集塵口の外周に接触する接触部を有するとともに、前記吸気口に前記接触部が前記集塵室の内方へ突出するよう設けられたシール部、前記袋口体を前記接触部方向へ保持する袋口体押さえを備え、前記袋口体を前記集塵室内にて前記袋口体押さえにより保持したとき、前記袋口体が略接触する袋口体接触部を、前記袋口体の前方に形成したもので、袋口体接触部が集塵袋のずれた集塵口の変形もしくは袋口体に設けた遮蔽板の広がりを押さえ、集塵袋を取り出す際に引っ掛かることもなく容易に取り出すことができる。
【発明の効果】
【０００６】
本発明は、集塵袋を容易に取り出すことのできる、使い勝手の良い電気掃除機を提供することができる。
【発明を実施するための最良の形態】
【０００７】
第１の発明は、吸気口を有する集塵室、集塵口を有する袋口体と前記袋口体に設けられた袋部とからなる集塵袋、前記集塵口の外周に接触する接触部を有するとともに、前記吸気口に前記接触部が前記集塵室の内方へ突出するよう設けられたシール部、前記袋口体を前記接触部方向へ保持する袋口体押さえを備え、前記袋口体を前記集塵室内にて前記袋口体押さえにより保持したとき、前記袋口体が略接触する袋口体接触部を、前記袋口体の前方に形成したもので、この袋口体接触部が集塵袋のずれた集塵口の変形もしくは袋口体に設けた遮蔽板の広がりを押さえ、集塵袋を取り出す際に引っ掛かることもなく容易に取り出すことができる。
【０００８】
第２の発明は、集塵室の内底面に設けた下部係止突起と、吸気口の両側に位置して形成した一対の案内部と、前記集塵室の上方に設けられ、袋口体の上部を保持する袋口体押さえとにより、袋口体を接触部に接触するように固定するとともに、前記接触部の下方に袋口体接触部を形成したもので、袋口体接触部が集塵袋のずれた集塵口の変形もしくは袋口体に設けた遮蔽板の広がりを押さえ、集塵袋を上方に取り出す際に引っ掛かることもなく容易に取り出すことができる。
【０００９】
第３の発明は、袋口体接触部を、集塵室を形成する壁面と一体的に形成したもので、別部品を設けることなく、袋口体を押さえる構成を簡素化することができる。
【００１０】
第４の発明は、袋口体接触部を、集塵室の略中央部に形成したもので、袋口体接触部であるリブの金型工事そのものが容易であり、その大きさについて金型工事による微調整を容易に行うことができる。
【００１１】
第５の発明は、袋口体接触部を、複数のリブで形成したもので、金型工事そのものが容易であるうえに、袋口体を複数の箇所で押さえることができ、集塵袋のずれた集塵口の変形もしくは袋口体に設けた遮蔽板の広がりを確実に押さえることができる。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図４を用いて説明する。
【００１４】
図において、１は電気掃除機本体で、２は掃除機本体の集塵室である。この集塵室２に、ホース接続口となる吸気口３を設けている。前記吸気口３を通して吸引した塵埃を収集する集塵袋４は、前方に設けた袋口体５と前記袋口体５に設けた袋部４ａからなり、前記袋口体５には前記吸気口３に対面する集塵口６を設けている。
【００１５】
また、前記吸気口３には前記集塵口６の外周に接触する接触部７を有する軟質のシール部８を設け、前記袋口体５を前記集塵室２の一部に設けた係止突起９と、前記吸気口３の両側に位置して形成した一対の案内部１０と、前記シール部８を中心として前記係止突起９と対する方向で、前記集塵室２の上方に回動自在に枢支した袋口体押さえ１１とにより、前記袋口体５が前記接触部７に接触するように保持している。また、前記集塵室２の内方で、集塵室２に集塵袋４を保持したとき、前記袋口体５が略接触するリブ状の硬質の袋口体接触部１２を、前記袋口体５の前方に、前記吸気口３を形成する集塵室２の壁底面より突出させ、前記集塵室２の壁底面と一体的に形成している。
【００１６】
以上のように構成された電気掃除機において、図１、図２を用いて、その動作を説明する。
【００１７】
集塵袋４は集塵室２に固定された状態において、シール部８の接触部７は袋口体５の集塵口６外周に接して、集塵口６及び吸気口３を通る吸引風が漏れないようにしている。また、硬質の袋口体接触部１２は袋口体５を押さえている。
【００１８】
これにより袋口体５の集塵口６が著しく袋口体接触部１２の方向にずれていて、シール部８の接触部７の一部が袋口体５の集塵口６の内方に入る場合でも、袋口体５に設けた遮蔽板１４が前方に広がろうとしても、硬質の袋口体接触部１２がそれらの部分を押さえて変形防止を行っていることから、集塵袋４を取り出す際にそれらの部分がシール部８の接触部７に引っ掛かることもなく、容易に取り出すことができる。
【００１９】
また、集塵袋４の袋口体５を前記集塵室２の内底面に設けた下部係止突起９と前記吸気口３の両側に位置して形成した一対の案内部１０と該案内部１０の上部に設けた袋口体押さえ１１により前記吸気口３に接触するように保持し、前記集塵室２内方で前記シール部８の接触部７の下方に、硬質の袋口体接触部１２を設けている。
【００２０】
この構成により、上方に集塵袋４を取り出す構成で、袋口体接触部１２が集塵袋４のずれた集塵口６の変形もしくは、図４に示すような袋口体５に設けた遮蔽板１４の広がりを押さえ、集塵袋４を取り出す際に引っ掛かることもなく容易に取り出すことができる。
【００２１】
また、硬質の袋口体接触部１２を、前記集塵室２に一体に設けていることで、袋口体５を押さえる別部品を設けることなく、袋口体５を押さえる構成そのものを簡素化することができる。
【００２２】
また、図１や図３に示すように、硬質の袋口体接触部１２を、前記集塵室２略中央部にリブ１２にて設けることで、袋口体接触部１２の金型工事そのものが容易であり、その大きさについて金型工事による微調整を容易に行うことができる。
【００２３】
さらに、硬質の袋口体接触部１２を複数のリブにて設けることで、金型工事そのものが容易であるうえに、袋口体５を複数の箇所で押さえることができ、集塵袋４のずれた集塵口６の変形もしくは袋口体５に設けた遮蔽板の広がりを確実に押さえることができる。
【産業上の利用可能性】
【００２４】
以上のように、本発明にかかる電気掃除機は、高い生産性を確保できるとともに、集塵袋を容易に取り出すことのできる、実用性でも極めて有用なものである。
【図面の簡単な説明】
【００２５】
【図１】本発明の実施の形態１を示す集塵袋固定部の略上方斜視図
【図２】同集塵袋固定部の略側断面図
【図３】同集塵袋固定部の略上方斜視図
【図４】同遮蔽板付の集塵袋の略断面図
【図５】従来の集塵袋固定部の略上方斜視図
【符号の説明】
【００２６】
２  集塵室
３  吸気口
４  集塵袋
４ａ  袋部
５  袋口体
６  集塵口
７  接触部
８  シール部
１１  袋口体押さえ
１２  袋口体接触部
【図１】
2005204691.tif 000003
【図２】
2005204691.tif 000004
【図３】
2005204691.tif 000005
【図４】
2005204691.tif 000006
【図５】
2005204691.tif 000007